(57)【要約】　　　（修正有）【課題】商品の起立を回避して、商品の詰まりを効果的に防止する自動販売機を得ること。【解決手段】収納庫内に配設した収納ラック３ａ，３ｂ，３ｃから払い出された商品Ｄを横倒しの姿勢で搬出するシュータ４と、シュータ４を滑走または転動する商品Ｄを搬出口５ａに案内する案内板１７とを備える自動販売機において、商品Ｄが案内板１７に衝突した時に案内板１７のたわみを抑制するたわみ抑制部材１８を案内板１７とシュータ４との間に配設した。【選択図】　　　図１
2004013538.tif 000002
【特許請求の範囲】
【請求項１】
収納部から払い出された商品を横倒し姿勢で搬出するシュータと、該シュータを搬出される商品を搬出口方向に案内する案内板と
を備える自動販売機において、
商品が前記案内板に衝突した時に前記案内板のたわみを抑制するたわみ抑制部材を前記案内板と前記シュータとの間に配設したことを特徴とする自動販売機。
【請求項２】
前記案内板は、前記シュータから立設した案内部と、該案内部の上端部から前記シュータに対向するように延在した保護部と、該保護部に連接する起立防止部とを有し、
商品が前記案内板に衝突した時に前記たわみ抑制部材が前記保護部と前記起立防止部の両方に当接して前記案内板のたわみを抑制することを特徴とする請求項１に記載の自動販売機。
【発明の詳細な説明】
【０００１】
【発明の属する技術分野】
この発明は、自動販売機に関し、更に詳しくは、収納ラック等の収納部から払い出した商品の詰まりを防止する自動販売機に関する。
【０００２】
【従来の技術】
図５に基づいて自動販売機の構造を説明する。なお、図５は従来の技術にかかる自動販売機の透視斜視図である。自動販売機は、本体１と、本体１の開口部に対して開閉可能に配設した外扉６とを備えている。また、本体１には断熱材により囲繞した収容庫２を収設してある。そして、収容庫２と外扉６との間には、収容庫２の開口部に対して開閉可能に配設した内扉５を備えている。
【０００３】
収容庫２には三つの収納ラック３ａ，３ｂ，３ｃを収容してある。各収納ラック３ａ，３ｂ，３ｃには商品Ｄ、たとえば缶商品、が収納してあり、商品Ｄの払い出しの要求に応じて商品Ｄを横倒し姿勢で払い出すように構成してある。一方、内扉５の収容庫２の右側壁と略一致する位置には商品Ｄを搬出する搬出口５ａを設けてある。なお、搬出口５ａは商品Ｄが横倒し姿勢で通過するように商品Ｄよりも若干大きく形成してある。
【０００４】
収容庫２には、収納ラック３ａ，３ｂ，３ｃから払い出された商品Ｄを搬出口５ａに送り出すシュータ４が取り付けられている。なお、シュータ４は収納ラック３ａ，３ｂ，３ｃの下方から内扉５に向けて漸次低くなるように傾斜配置してある。
【０００５】
シュータ４の右側には収容庫２の右側壁に沿って右側壁４ａが形成してある。一方、シュータ４の左側には商品Ｄを搬出口５ａに導く案内板７が取り付けてある。案内板７はシュータ４の左辺の手前側略四分の一の位置から搬出口５ａの左辺に一致する位置までに配設し、搬出口５ａに向かって右側壁４ａとの間隔を次第に減じるように形成してある。この案内板７は案内部７ａと保護部７ｂとを有している。案内部７ａは、シュータ４から立設した部分であり、搬出口５ａに近接するにしたがって漸次高くなるように形成してある。保護部７ｂは、案内部７ａの上端部からシュータ４の下端部側に向けて屈曲して延在する部分である。案内部７ａと保護部７ｂとにより形成した稜７ｃは、商品Ｄの接触面積を減らし、商品Ｄを軽やかに転回させる機能を有するものである。
【０００６】
つぎに、この自動販売機が払い出しの要求に応じて払い出した商品Ｄの挙動を説明する。それぞれの収納ラック３ａ，３ｂ，３ｃから払い出された商品Ｄは、横倒しの姿勢でシュータ４を転動、もしくは滑走しながら進行し、内扉５の搬出口５ａに至る。
【０００７】
右側の収納ラック３ａから払い出された商品Ｄはほぼ右側壁４ａに沿って進行する。したがって、右側の収納ラック３ａから払い出された商品Ｄの大多数がそのまま搬出口５ａに到達する。
【０００８】
一方、中央の収納ラック３ｂから払い出された商品Ｄは搬出口５ａよりも案内板７側を進行する。したがって、中央の収納ラック３ｂから払い出された商品Ｄの大多数が案内板７の案内部７ａに衝突し、その後、案内部７ａの表面に沿って進行して搬出口５ａに到達する。
【０００９】
他方、左側の収納ラック３ｃから払い出された商品Ｄは中央の収納ラック３ｂから払い出された商品Ｄよりもさらに案内板７側を進行する。したがって、左側の収納ラック３ｃから払い出された商品Ｄの大多数が案内板７の案内部７ａの表面に沿って進行するか、商品Ｄの一端が案内板８の稜７ｃに乗り上げる。案内部７ａの表面に沿って進行した商品Ｄはそのまま搬出口５ａに到達する。一端が稜７ｃに乗り上げた商品Ｄは、適宜向きを変えてシュータ４に落ち、案内部７ａの表面に沿って進行して最終的に搬出口５ａに到達する。
【００１０】
したがって、三つの収納ラック３ａ，３ｂ，３ｃからそれぞれ払い出された商品Ｄを一つの搬出口５ａに集約して搬出することができる。しかも案内板７を適宜取り付けることにより搬出口５ａを任意の位置に設けることができる。
【００１１】
以上説明したように、このように構成した自動販売機では、搬出口５ａを収容庫２の一方の壁側に偏って配設したとしても、複数の収納ラック３ａ，３ｂ，３ｃから払い出した商品を集約して搬出口５ａから搬出することができる。
【００１２】
【発明が解決しようとする課題】
ところで、収納ラック３ａ，３ｂ，３ｃから払い出された商品Ｄは必ずしも画一した挙動を示すものではなく、商品Ｄの形状や、収納ラック３ａ，３ｂ，３ｃからの払い出し時のばらつきによって様々な挙動があらわれる。払い出された商品Ｄの中には案内板７の保護部７ｂに衝突するものもあるが、商品Ｄが保護部７ｂに衝突した場合にはその衝撃力により案内板７がたわみ、その反動で案内板７がバネの働きをして商品Ｄを跳ね返す。商品Ｄの跳ね返りによっては商品Ｄをシュータ４上で起立させてしまうことがある。この場合にはシュータ４と搬出口５ａとの間で商品Ｄの詰まりとなり、搬出口５ａから商品Ｄが搬出できないという事態を招来する。商品Ｄの詰まりが発生すると以後の販売を中止することになるので大きな問題となる。
【００１３】
そこで、この発明は、上記に鑑みてなされたものであって、商品の起立を回避して、商品の詰まりを効果的に防止する自動販売機を得ることを目的とする。
【００１４】
【課題を解決するための手段】
上記の目的を達成するために、請求項１にかかる自動販売機は、収納部から払い出された商品を横倒し姿勢で搬出するシュータと、該シュータを搬送される商品を搬出口方向に案内する案内板とを備える自動販売機において、商品が前記案内板に衝突した時に前記案内板のたわみを抑制するたわみ抑制部材を前記案内板と前記シュータとの間に配設したことを特徴とする。
【００１５】
この請求項１にかかる自動販売機によれば、商品が案内板に衝突した時に案内板のたわみを抑制するたわみ抑制部材を案内板とシュータとの間に配設しているので、案内板のたわみを抑制することができる。したがって、案内板のたわみに起因する商品の起立を防止することができる。
【００１６】
また、請求項２にかかる自動販売機は、請求項１にかかる自動販売機において、前記案内板は前記シュータから立設した案内部と、該案内部の上端部から前記シュータに対向するように延在した保護部と、該保護部に連接する起立防止部とを有し、商品が前記案内板に衝突した時に前記たわみ抑制部材が前記保護部と前記起立防止部の両方に当接して前記案内板のたわみを抑制することを特徴とする。
【００１７】
この請求項２にかかる自動販売機によれば、商品が案内板に衝突した時にたわみ抑制部材が保護部と起立防止部の両方に当接して案内板のたわみを抑制するので、保護部と起立防止部のいずれか一方または両方に渡って商品が衝突しても案内板のたわみを抑制することができる。したがって、案内板のたわみに起因する商品の起立を防止することができる。
【００１８】
【発明の実施の形態】
以下に添付図面を参照して、この発明にかかる自動販売機の好適な実施の形態を詳細に説明する。なお、本発明の実施の形態にかかる自動販売機の概略構成は従来の技術にかかる自動販売機と共通するものであるので同一の符号を付して説明を省略し、本発明の主要部分を詳細に説明する。ここで、図１は本発明の実施の形態である自動販売機を示す透視斜視図、図２は図１に示す案内板を取り付けたシュータを示す拡大斜視図、図３は図１に示すシュータに取り付けた案内板の拡大斜視図、図４は案内板のたわみを抑制する抑制部材の拡大斜視図である。
【００１９】
本発明の実施の形態にかかる自動販売機の案内板１７はシュータ４の左辺の手前側略四分の一の位置から搬出口５ａの左辺に一致する位置までに配設し、搬出口５ａに向かって右側壁４ａとの間隔を次第に減じるように形成してある。この案内板１７は案内部１７ａと保護部１７ｂとを有している。案内部１７ａは、シュータ４から立設した部分であり、搬出口５ａに近接するにしたがって漸次高くなるように形成してある。保護部１７ｂは、案内部１７ａの上端部からシュータ４の下端部側に向けて屈曲して延在する部分である。案内部１７ａと保護部１７ｂとの連接部をなす稜１７ｃは商品Ｄの接触面積を減らし、商品Ｄを軽やかに転回させる機能を有するものである。さらに、案内板１７は保護部１７ｂに連接して形成した三角形状の起立防止部１７ｄを有している。
【００２０】
一方、シュータ４には、商品Ｄが案内板１７に衝突した時に生じるたわみを抑制するたわみ抑制部材１８を取り付けてある。たわみ抑制部材１８は案内板１７のシュータ４側の面（裏面）に当接するものであり、断面Ｌ字状の直立部１８ａと、この直立部１８ａから略直角に屈曲延在した取付部１８ｂとから形成してある。直立部１８ａの先端１８ｃ、１８ｄは案内板１７の保護部１７ｂの裏面、起立防止部１７ｄの裏面の両方と当接するように保護部１７ｂの裏面、起立防止部１７ｄの裏面の形状に沿って形成してある。また、直立部１８ａの一方の先端１８ｃと先端１８ｄとの会合部には面取りを施しており、保護部１７ｂの裏面及び起立防止部１７ｄの裏面と、直立部１８ａの先端１８ｃ，１８ｄとが面で当たるように配慮してある。
【００２１】
つぎに、この自動販売機が払い出しの要求に応じて払い出した商品Ｄの挙動を説明する。それぞれの収納ラック３ａ，３ｂ，３ｃから払い出された商品Ｄは、横倒しの姿勢でシュータ４を転動、もしくは滑走しながら進行し、内扉５の搬出口５ａに至る。
【００２２】
右側の収納ラック３ａから払い出された商品Ｄはほぼ右側壁４ａに沿って進行する。したがって、右側の収納ラック３ａから払い出された商品Ｄの大多数がそのまま搬出口５ａに到達する。
【００２３】
一方、中央の収納ラック３ｂから払い出された商品Ｄは搬出口５ａよりも案内板７側を進行する。したがって、中央の収納ラック３ｂから払い出された商品Ｄの大多数が案内板１７の案内部１７ａに衝突し、その後、案内部１７ａの表面に沿って進行して搬出口５ａに到達する。
【００２４】
他方、左側の収納ラック３ｃから払い出された商品Ｄは中央の収納ラック３ｂから払い出された商品Ｄよりもさらに案内板１７側を進行する。したがって、左側の収納ラック３ｃから払い出された商品Ｄの大多数が案内板１７の案内部１７ａの表面に沿って進行するか、商品Ｄの一端が案内板１７の稜１７ｃに乗り上げる。案内部１７ａの表面に沿って進行した商品Ｄはそのまま搬出口５ａに到達する。一端が稜１７ｃに乗り上げた商品Ｄは、適宜向きを変えてシュータ４に落ちる。この場合、商品Ｄの一端が案内板１７の稜１７ｃに乗り上げた後の姿勢変化によっては、商品Ｄがシュータ４で起立する虞れがある。しかしながら、本実施の形態では、商品Ｄが起立防止部１７ｄに当接してその姿勢変化が抑止されるため、商品Ｄは起立することなくシュータ４に落ちる。その後、商品Ｄは搬出口５ａ方向に向きを変え、案内部１７ａの表面に沿って進行して搬出口５ａに到達する。
【００２５】
また、収納ラック３ａ，３ｂ，３ｃから払い出された商品Ｄが上記のいずれかに該当するような挙動をせずに、商品Ｄが案内板１７の保護部１７ｂに衝突した場合であっても、シュータ４に取り付けたたわみ抑制部材１８が案内板１７の裏面に当接して案内板１７のたわみを抑制するので、商品Ｄを跳ね返すまでには至らない。したがって、商品Ｄがシュータ４で起立するような事態が招来されることはなく、その後案内部１７ａに案内されて搬出口５ａに到達する。
【００２６】
また、商品Ｄが案内板１７の起立防止部１７ｄに衝突した場合であっても、たわみ抑制部材１８の先端１８ｃ，１８ｄが案内板１７の保護部１７ｂの裏面、起立防止部１７ｄの裏面と当接する形状に形成してあるので、シュータ４に取り付けたたわみ抑制部材１８が案内板１７の保護部１７ｂの裏面と起立防止部１７ｄの裏面とに当接して案内板１７のたわみを抑制するので、商品Ｄを跳ね返すまでには至らない。したがって、この場合にも商品Ｄがシュータ４で起立するような事態が招来されることはない。
【００２７】
以上説明したように、本発明の実施の形態にかかる自動販売機によれば、収納ラック３ａ，３ｂ，３ｃから払い出した商品Ｄが案内板１７の保護部１７ｂまたは起立防止部１７ｄのいずれか一方または両方に渡って衝突してもたわみ抑制部材１８により案内板１７、特に保護部１７ｂと起立防止部１７ｄをたわませることがないので、商品Ｄを跳ね返すまでには至らない。したがって、商品Ｄが起立するような事態には至らず、案内板１７の案内部１７ａに沿って案内されて搬出口５ａに到達する。したがって、商品Ｄの詰まりも防止することができ、商品Ｄの販売を継続することができる。
【００２８】
なお、収容庫２に収容される収納ラック３ａ，３ｂ，３ｃは三つに限らず、適宜の数の収納ラックを収容することができる。また、収納ラックに集積する商品は缶商品に限らず、ペットボトル商品であっても良いし、びん商品であっても良い。また、シュータ４と案内板１７との間に配設したたわみ抑制部材１８をシュータ４に取り付けることにより案内板１７の裏面に当接させて案内板１７のたわみを抑制するが、案内板１７の裏面にたわみ抑制部材１８を取り付けて、たわみ抑制部材１８をシュータ４の表面に当接させて案内板１７のたわみを抑制してもよい。また、シュータ４と案内板１７とをたわみ抑制部材１８により連結して案内板１７のたわみを抑制しても良い。
【００２９】
【発明の効果】
以上説明したように、この発明にかかる自動販売機（請求項１）によれば、商品が案内板に衝突した時に案内板のたわみを抑制するたわみ抑制部材を案内板とシュータとの間に配設しているので、案内板のたわみを抑制することができる。したがって、案内板のたわみに起因する商品の起立を防止することができ、商品の詰まりを回避することができる。
【００３０】
また、この発明にかかる自動販売機（請求項２）によれば、商品が案内板に衝突した時にたわみ抑制部材が保護部と起立防止部の両方に当接して案内板のたわみを抑制するので、保護部と起立防止部のいずれか一方または両方に渡って商品が衝突しても案内板のたわみを抑制することができる。したがって、案内板のたわみに起因する商品の起立を防止することができ、商品の詰まりを回避することができる。
【図面の簡単な説明】
【図１】本発明の実施の形態にかかる自動販売機の透視斜視図である。
【図２】図１に示す案内板を取り付けたシュータを示す拡大斜視図である。
【図３】図１に示す案内板の拡大斜視図である。
【図４】たわみ抑制部材の拡大斜視図である。
【図５】従来の技術にかかる自動販売機の透視斜視図である。
【符号の説明】
２　収容庫
３ａ，３ｂ，３ｃ　収納ラック
４　シュータ
４ａ　右側壁
５　内扉
５ａ　搬出口
６　外扉
１７　案内板
１７ａ　案内部
１７ｂ　保護部
１７ｃ　稜
１７ｄ　起立防止部
１８　たわみ抑制部材
１８ａ　直立部
１８ｂ　取付部
１８ｃ、１８ｄ　先端
Ｄ　商品
【図１】
2004013538.tif 000003
【図２】
2004013538.tif 000004
【図３】
2004013538.tif 000005
【図４】
2004013538.tif 000006
【図５】
2004013538.tif 000007